【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
電子装置であって、
ディスプレイと、
１つ以上の入力装置と、
１つ以上の出力装置と、
１つ以上のプロセッサと、
前記１つ以上のプロセッサによって実行されるように構成された１つ以上のプログラムを格納するメモリ、
とを有し、
前記１つ以上のプログラムは、
前記ディスプレイ上に、ボイスメールメッセージのリストを表示し、
前記１つ以上の入力装置を介して、前記リストにおけるボイスメールメッセージのユーザ選択を検出し、
前記ボイスメールメッセージの前記ユーザ選択を検出することに応答して、前記ディスプレイ上に、前記選択されたボイスメールメッセージに対応する進行バーを表示し、
前記１つ以上の出力装置を介して、前記選択されたボイスメールメッセージを再生し、ここで、前記進行バーの再生インジケータは、前記選択されたボイスメールメッセージの再生された部分を示し、前記再生インジケータは、前記進行バーに沿った第１の方向にスライドするように構成され、
前記ボイスメールメッセージのリストの少なくとも第１の部分を表示せずに、前記進行バーと、前記選択されボイスメールメッセージを削除するための第１のアフォーダンスとを同時に表示している間に、前記１つ以上の入力装置を介して、前記第１のアフォーダンス上の指接触を検出し、
前記第１のアフォーダンス上の前記指接触を検出することに応答して、
前記ボイスメールメッセージのリストから前記選択されたボイスメールメッセージの表示を削除し、
前記ディスプレイ上に、前記ボイスメールメッセージのリストの前記第１の部分を含む前記ボイスメールメッセージのリストを表示する、
ためのインストラクションを有する、電子装置。
【請求項２】
請求項１に記載の電子装置であって、前記１つ以上のプログラムはさらに、
前記１つ以上の入力装置を介して、スクロールジェスチャーを検出し、
前記スクロールジェスチャーを検出することに応答して、前記ボイスメールメッセージのリストをスクロールする、ためのインストラクションを有する、電子装置。
【請求項３】
請求項２に記載の電子装置であって、前記スクロールジェスチャーを検出することは、前記１つ以上の入力装置を介して、前記ディスプレイ上の前記ユーザの指の垂直方向の動きを検出することを含む、電子装置。
【請求項４】
請求項２に記載の電子装置であって、前記スクロールジェスチャーは、前記ディスプレイ上で水平成分を有し、前記１つ以上の入力装置を介して、前記スクロールジェスチャーを検出することは、前記ディスプレイ上の前記ジェスチャーの前記水平成分とは独立している、電子装置。
【請求項５】
請求項１に記載の電子装置であって、ボイスメールメッセージの前記ユーザ選択を検出することは、前記ボイスメールメッセージ上での前記ユーザの前記指によるタップジェスチャーを検出することを含む、電子装置。
【請求項６】
請求項１に記載の電子装置であって、前記１つ以上のプログラムはさらに、
前記ボイスメールメッセージの前記ユーザ選択を検出したことに応答して、前記リストにおいて前記選択されたボイスメールメッセージをハイライト状態にする、ためのインストラクションを有する、電子装置。
【請求項７】
請求項１に記載の電子装置であって、前記１つ以上のプログラムはさらに、
バックアップアイコンのユーザ選択を検出することに応答して、前記選択されたボイスメールメッセージの再生を所定量だけバックアップし、
前記１つ以上の入力装置を介して、スピードアップアイコンのユーザ選択を検出し、
前記スピードアップアイコンの選択を検出したことに応答して、前記選択されたボイスメールメッセージの再生スピードを増加する、ためのインストラクションを有する、電子装置。
【請求項８】
請求項７に記載の電子装置であって、前記１つ以上のプログラムはさらに、
前記再生スピードを増加しながら、前記選択されたボイスメールメッセージの前記再生の音声周波数またはピッチを調整する、ためのインストラクションを有する、電子装置。
【請求項９】
ディスプレイ、１つ以上の入力装置、および１つ以上の出力装置を有する電子装置の１つ以上のプロセッサによって実行されるように構成された１つ以上のプログラムを格納する、非一時的なコンピュータ読み取り可能な記憶媒体であって、前記１つ以上のプログラムは、
前記ディスプレイ上に、ボイスメールメッセージのリストを表示し、
前記１つ以上の入力装置を介して、前記リストにおけるボイスメールメッセージのユーザ選択を検出し、
前記ボイスメールメッセージの前記ユーザ選択を検出することに応答して、前記ディスプレイ上に、前記選択されたボイスメールメッセージに対応する進行バーを表示し、
前記１つ以上の出力装置を介して、前記選択されたボイスメールメッセージを再生し、ここで、前記進行バーの再生インジケータは、前記選択されたボイスメールメッセージの再生された部分を示し、前記再生インジケータは、前記進行バーに沿った第１の方向にスライドするように構成され、
前記ボイスメールメッセージのリストの少なくとも第１の部分を表示せずに、前記進行バーと、前記選択されボイスメールメッセージを削除するための第１のアフォーダンスとを同時に表示している間に、前記１つ以上の入力装置を介して、前記第１のアフォーダンス上の指接触を検出し、
前記第１のアフォーダンス上の前記指接触を検出することに応答して、
前記ボイスメールメッセージのリストから前記選択されたボイスメールメッセージの表示を削除し、
前記ディスプレイ上に、前記ボイスメールメッセージのリストの前記第１の部分を含む前記ボイスメールメッセージのリストを表示する、
ためのインストラクションを有する、記憶媒体。
【請求項１０】
ディスプレイ、１つ以上の入力装置、および１つ以上の出力装置における方法であって、
前記ディスプレイ上に、ボイスメールメッセージのリストを表示することと、
前記１つ以上の入力装置を介して、前記リストにおけるボイスメールメッセージのユーザ選択を検出することと、
前記ボイスメールメッセージの前記ユーザ選択を検出することに応答して、前記ディスプレイ上に、前記選択されたボイスメールメッセージに対応する進行バーを表示することと、
前記１つ以上の出力装置を介して、前記選択されたボイスメールメッセージを再生することであって、ここで、前記進行バーの再生インジケータは、前記選択されたボイスメールメッセージの再生された部分を示し、前記再生インジケータは、前記進行バーに沿った第１の方向にスライドするように構成される、ことと、
前記ボイスメールメッセージのリストの少なくとも第１の部分を表示せずに、前記進行バーと、前記選択されボイスメールメッセージを削除するための第１のアフォーダンスとを同時に表示している間に、前記１つ以上の入力装置を介して、前記第１のアフォーダンス上の指接触を検出することと、
前記第１のアフォーダンス上の前記指接触を検出することに応答して、
前記ボイスメールメッセージのリストから前記選択されたボイスメールメッセージの表示を削除し、
前記ディスプレイ上に、前記ボイスメールメッセージのリストの前記第１の部分を含む前記ボイスメールメッセージのリストを表示すること、
を含む、方法。
【請求項１１】
請求項９に記載の非一時的なコンピュータ読み取り可能な記憶媒体であって、前記１つ以上のプログラムはさらに、
前記１つ以上の入力装置を介して、スクロールジェスチャーを検出し、
前記スクロールジェスチャーを検出することに応答して、前記ボイスメールメッセージのリストをスクロールする、ためのインストラクションを有する、記憶媒体。
【請求項１２】
請求項１１に記載の非一時的なコンピュータ読み取り可能な記憶媒体であって、前記スクロールジェスチャーを検出することは、前記１つ以上の入力装置を介して、前記ディスプレイ上の前記ユーザの指の垂直方向の動きを検出することを含む、記憶媒体。
【請求項１３】
請求項１１に記載の非一時的なコンピュータ読み取り可能な記憶媒体であって、前記スクロールジェスチャーは、前記ディスプレイ上で水平成分を有し、前記１つ以上の入力装置を介して、前記スクロールジェスチャーを検出することは、前記ディスプレイ上の前記ジェスチャーの前記水平成分とは独立している、記憶媒体。
【請求項１４】
請求項９に記載の非一時的なコンピュータ読み取り可能な記憶媒体であって、ボイスメールメッセージの前記ユーザ選択を検出することは、前記ボイスメールメッセージ上での前記ユーザの前記指によるタップジェスチャーを検出することを含む、記憶媒体。
【請求項１５】
請求項９に記載の非一時的なコンピュータ読み取り可能な記憶媒体であって、前記１つ以上のプログラムはさらに、
前記ボイスメールメッセージの前記ユーザ選択を検出したことに応答して、前記リストにおいて前記選択されたボイスメールメッセージをハイライト状態にする、ためのインストラクションを有する、記憶媒体。
【請求項１６】
請求項９に記載の非一時的なコンピュータ読み取り可能な記憶媒体であって、前記１つ以上のプログラムはさらに、
バックアップアイコンのユーザ選択を検出することに応答して、前記選択されたボイスメールメッセージの再生を所定量だけバックアップし、
前記１つ以上の入力装置を介して、スピードアップアイコンのユーザ選択を検出し、
前記スピードアップアイコンの選択を検出したことに応答して、前記選択されたボイスメールメッセージの再生スピードを増加する、ためのインストラクションを有する、記憶媒体。
【請求項１７】
請求項１６に記載の非一時的なコンピュータ読み取り可能な記憶媒体であって、前記１つ以上のプログラムはさらに、
前記再生スピードを増加しながら、前記選択されたボイスメールメッセージの前記再生の音声周波数またはピッチを調整する、ためのインストラクションを有する、記憶媒体。
【請求項１８】
請求項１０に記載の方法であって、さらに、
前記１つ以上の入力装置を介して、スクロールジェスチャーを検出することと、
前記スクロールジェスチャーを検出することに応答して、前記ボイスメールメッセージのリストをスクロールすることを含む、方法。
【請求項１９】
請求項１８に記載の方法であって、前記スクロールジェスチャーを検出することは、前記１つ以上の入力装置を介して、前記ディスプレイ上の前記ユーザの指の垂直方向の動きを検出することを含む、方法。
【請求項２０】
請求項１８に記載の方法であって、前記スクロールジェスチャーは、前記ディスプレイ上で水平成分を有し、前記１つ以上の入力装置を介して、前記スクロールジェスチャーを検出することは、前記ディスプレイ上の前記ジェスチャーの前記水平成分とは独立している、方法。
【請求項２１】
請求項１０に記載の方法であって、ボイスメールメッセージの前記ユーザ選択を検出することは、前記ボイスメールメッセージ上での前記ユーザの前記指によるタップジェスチャーを検出することを含む、方法。
【請求項２２】
請求項１０に記載の方法であって、さらに、
前記ボイスメールメッセージの前記ユーザ選択を検出したことに応答して、前記リストにおいて前記選択されたボイスメールメッセージをハイライト状態にすることを含む、方法。
【請求項２３】
請求項１０に記載の方法であって、さらに、
バックアップアイコンのユーザ選択を検出することに応答して、前記選択されたボイスメールメッセージの再生を所定量だけバックアップすることと、
前記１つ以上の入力装置を介して、スピードアップアイコンのユーザ選択を検出することと、
前記スピードアップアイコンの選択を検出したことに応答して、前記選択されたボイスメールメッセージの再生スピードを増加する、方法。
【請求項２４】
請求項２３に記載の方法であって、さらに、
前記再生スピードを増加しながら、前記選択されたボイスメールメッセージの前記再生の音声周波数またはピッチを調整することを含む、方法。